(57)【要約】【課題】  ソフトウェアキーボードを用いて文字列の登録や削除、編集を良好に行う。【解決手段】  遠隔操作装置２００が設けられ、この遠隔操作装置２００に対するユーザーの操作によって形成される操作信号が、例えば赤外線信号に変換されて送信される。この赤外線信号がテレビジョン受信機１００の受光部６で受光され、受光された赤外線信号から逆変換された操作信号が制御部コンピュータ(ＣＰＵ)７に供給されて、その操作信号の内容に従って例えばチューナ１での放送信号の選択や、デスクランブラ２でのデスクランブルの許可等の制御が行われる。さらに、制御部コンピュータ７からの信号が管面表示（ＯＳＤ）回路８に供給されて、ソフトウェアキーボードの表示信号が形成され、この表示信号が加算器３に供給されて、陰極線管５の表示面に表示される放送信号の映像に重畳されると共に、ソフトウェアキーボード上の文字列の登録や削除、編集が行われる。【選択図】        図１
2007011974.tif 000002
【特許請求の範囲】
【請求項１】
画像受信装置と遠隔操作装置とからなる情報入力装置であって、
前記画像受信装置上の表示手段にソフトウェアキーボードを表示させる表示手段と、
前記遠隔操作装置によりカーソルを移動して前記ソフトウェアキーボードから文字列の入力を行う文字列入力手段と、
前記文字列の入力に伴って入力された文字列の登録または削除の指示を行うボタンを表示するボタン表示手段と、
前記ボタンへの前記遠隔操作装置によるカーソルの移動での指示に従って前記入力された文字列を記憶する文字列記憶手段と、
前記記憶された文字列を用いて情報処理を行う情報処理手段と、
前記遠隔操作装置により前記文字列記憶手段に記憶された文字列を選択して該選択された文字列の削除または編集を行う文字列編集手段と
を設けたことを特徴とする情報入力装置。
【請求項２】
請求項１記載の情報入力装置において、
前記遠隔操作装置には、少なくとも前記ソフトウェアキーボード上のカーソルの移動を行う操作キーと前記カーソルで指示された処理を実行する決定キーとが設けられている
ことを特徴とする情報入力装置。
【請求項３】
請求項１記載の情報入力装置において、
前記遠隔操作装置による前記文字列記憶手段に記憶された文字列の選択は、前記ソフトウェアキーボードの一部に前記文字列記憶手段に記憶された文字列を一覧表示し、前記遠隔操作装置によりカーソルを移動して所望の文字列を選択する
ことを特徴とする情報入力装置。
【請求項４】
請求項１記載の情報入力装置において、
前記遠隔操作装置による前記文字列記憶手段に記憶された文字列の選択は、前記遠隔操作装置の所定操作により前記ソフトウェアキーボードに重ねて前記文字列記憶手段に記憶された文字列を一覧表示し、前記遠隔操作装置によりカーソルを移動して所望の文字列を選択する
ことを特徴とする情報入力装置。
【発明の詳細な説明】
【技術分野】
【０００１】
本発明は、例えばテレビジョン受信機のように画像受信装置と遠隔操作装置とからなるシステムに使用して好適な情報入力装置に関する。詳しくは、登録データなどの入力を、ソフトウェアキーボードを用いて行う場合の操作を簡単にできるようにするものである。
【背景技術】
【０００２】
従来の情報入力装置では、ソフトウェアキーボードに最初から登録されている文字列を選択して、入力操作を容易にすることが行われている（例えば、特許文献１参照。）。
【０００３】
しかしながら特許文献１には、本願発明のように任意の文字列を作成、編集して、必要なときにそれを選択して入力する技術については記載されていないものである。
【特許文献１】特開平１１−２０２９９６号公報
【発明の開示】
【発明が解決しようとする課題】
【０００４】
テレビジョン放送のデジタル化が進むにつれて、デジタル放送受信機内のソフトウェアキーボードの利用の頻度が多くなっている。このようなソフトウェアキーボードを使ってユーザーは、キーワード検索機能を始め、データ放送の個人データ入力やインターネット、メールまでも楽しむことができるものである。
【０００５】
ところが従来のソフトウェアキーボードでは、ユーザーが任意のワードを入れるには、リモコンの↑↓←→キーでソフトウェアキーボード上の文字を選んで言葉を形成し、変換して入力する必要があった。その上、ユーザーの使用頻度が高いワードをそのたびに入力するのは極めて煩わしい。
【０００６】
そこで、上述の特許文献１に記載の技術では、例えばインターネットアドレスの入力において使用頻度の高い「http://」や「.co.jp/」などのワードを、最初から既定の文字列として登録しておき、必要なときに一覧表からその文字列を選択して入力を容易に行うことができるようにしているものである。
【０００７】
しかしながら、このような最初から既定された文字列では、上述のキーワード検索機能やデータ放送の個人データ入力、あるいはメールなどには、その利用範囲が極めて狭いものである。また例えば「.co.jp/」の文字列が登録されていても、アドレスが「.com」であった場合には、全て入力しなければならないものである
【０００８】
この出願はこのような点に鑑みて成されたものであって、解決しようとする問題点は、従来の技術では、ソフトウェアキーボードを用いて文字列の入力を行う場合に、ユーザーが任意の文字列を作成、編集して、必要なときにそれを選択して入力や削除をすることはできなかったというものである。
【課題を解決するための手段】
【０００９】
このため本発明においては、ソフトウェアキーボードから入力された文字列を登録または削除の指示を行うボタンの指示に従って記憶し、記憶された文字列を用いて情報処理を行うと共に、記憶された文字列を選択してこの選択された文字列の削除または編集を行うようにしたものであって、これによれば、ソフトウェアキーボードを用いて登録データなどの入力を行う場合の操作を、極めて簡単に行うことができる。
【発明の効果】
【００１０】
請求項１の発明によれば、ソフトウェアキーボードから入力された文字列を登録または削除の指示を行うボタンの指示に従って記憶し、記憶された文字列を用いて情報処理を行うと共に、記憶された文字列を選択してこの選択された文字列の削除または編集を行うようにしたことによって、ソフトウェアキーボードを用いて登録データなどの入力を行う場合の操作を、極めて簡単に行うことができるものである。
【００１１】
また、請求項２の発明によれば、遠隔操作装置には、少なくともソフトウェアキーボード上のカーソルの移動を行う操作キーとカーソルで指示された処理を実行する決定キーとが設けられていることによって、良好に登録データなどの入力を行うことができるものである。
【００１２】
請求項３の発明によれば、遠隔操作装置による文字列記憶手段に記憶された文字列の選択は、ソフトウェアキーボードの一部に文字列記憶手段に記憶された文字列を一覧表示し、遠隔操作装置によりカーソルを移動して所望の文字列を選択することによって、記憶された文字列の削除または編集を良好に行うことができるものである。
【００１３】
請求項４の発明によれば、遠隔操作装置による文字列記憶手段に記憶された文字列の選択は、遠隔操作装置の所定操作によりソフトウェアキーボードに重ねて文字列記憶手段に記憶された文字列を一覧表示し、遠隔操作装置によりカーソルを移動して所望の文字列を選択することによって、記憶された文字列の削除または編集を良好に行うことができるものである。
【００１４】
これによって、従来の技術では、ソフトウェアキーボードを用いて文字列の入力を行う場合に、ユーザーが任意の文字列を作成、編集して、必要なときにそれを選択して入力や削除をすることはできなかったものを、本発明によればこれらの問題点を容易に解消することができるものである。
【発明を実施するための最良の形態】
【００１５】
すなわち、本発明の情報入力装置は画像受信装置と遠隔操作装置とからなり、画像受信装置上の表示手段にソフトウェアキーボードを表示させる表示手段と、遠隔操作装置によりカーソルを移動してソフトウェアキーボードから文字列の入力を行う文字列入力手段と、文字列の入力に伴って入力された文字列の登録または削除の指示を行うボタンを表示するボタン表示手段と、ボタンへの遠隔操作装置によるカーソルの移動での指示に従って入力された文字列を記憶する文字列記憶手段と、記憶された文字列を用いて情報処理を行う情報処理手段と、遠隔操作装置により文字列記憶手段に記憶された文字列を選択してこの選択された文字列の削除または編集を行う文字列編集手段とを設けたものである。
【００１６】
以下、図面を参照して本発明を説明するに、図１は本発明による情報入力装置を適用したテレビジョン受信機（画像受信装置）の一実施形態の構成を示すブロック図である。
【００１７】
図１において、例えばＢＳ／ＣＳデジタル放送を受信するアンテナ１０からの信号が、テレビジョン受信機１００のチューナ１に供給されて、所望の放送信号が受信される。この受信された放送信号は、デスクランブラ２に供給されて視聴可能な状態にデスクランブルされ、デスクランブルされた信号が加算器３を通じて例えばＮＴＳＣ方式のエンコーダ４に供給され、エンコードされた信号が陰極線管５に供給されて、受信された放送信号の映像が陰極線管５の表示面に表示される。
【００１８】
一方、遠隔操作装置２００が設けられ、この遠隔操作装置２００に対するユーザーの操作によって形成される操作信号が、例えば赤外線信号に変換されて送信される。この赤外線信号がテレビジョン受信機１００の受光部６で受光され、受光された赤外線信号から逆変換された操作信号が制御部コンピュータ(ＣＰＵ)７に供給されて、その操作信号の内容に従って例えばチューナ１での放送信号の選択や、デスクランブラ２でのデスクランブルの許可等の制御が行われる。
【００１９】
さらに、制御部コンピュータ７からの信号が管面表示（On Screen Display＝ＯＳＤ）回路８に供給されて、例えば図２のＡに示すようなソフトウェアキーボードの表示信号が形成され、この表示信号が加算器３に供給されて、陰極線管５の表示面に表示される放送信号の映像に重畳される。これにより、陰極線管５の表示面にはソフトウェアキーボードが表示される。またこのソフトウェアキーボードには、例えば任意のキーの表示が変化されることによりカーソルが表示される。
【００２０】
また、このカーソルが遠隔操作装置２００に対するユーザーの操作に従って移動され、例えばユーザーが遠隔操作装置２００で決定の操作を行うことによって、カーソルで指示された１文字ずつの入力が行われる。すなわちこの入力は、制御部コンピュータ７と管面表示回路８との共働により行われ、この入力によって文字列が形成される。それと共に、例えばソフトウェアキーボード上の「変換」「確定」「削除」等のキーをカーソルで選択することによって、入力された文字列の漢字変換や編集が行われる。
【００２１】
さらに、遠隔操作装置２００には任意のオプション釦が設けられ、ユーザーがこの釦を操作すると、ソフトウェアキーボードに図２のＢに示すような「お気に入りへ登録」と「お気に入りからの削除」のキーが表示される。そして遠隔操作装置２００に対するユーザーの操作に従い、これらのキーがカーソルで選択されることによって、形成された文字列の「お気に入り」への登録や削除が行われる。なお「お気に入り」に登録された文字列は、例えば制御部コンピュータ７に併設のメモリ装置９に記憶される。
【００２２】
そこで、図２のＢに示す表示の状態で、「お気に入りへ登録」が選択された場合には、図２のＣに示すように、この例ではソフトウェアキーボードの中央右側に設けられた「お気に入り」のキー欄に形成された文字列が登録される。また、「お気に入りからの削除」が選択された場合には、図２のＤに示すように「お気に入りから削除する項目を選択してください」の表示と共に「確定」「中止」のキーが表示され、削除する項目と「確定」のキーが選択されることによって、選択された項目の削除が行われる。
【００２３】
従って、上述の装置においては、形成された文字列を「お気に入り」に登録したり削除したりすることができる。そしてこの「お気に入り」に登録された文字列は、ユーザーが所望のときに取り出すことができるものであって、この取り出された文字列を、例えばチューナ１において電子番組表（Electric Program Guide＝ＥＰＧ）が採用されている場合には、その電子番組表における番組のキーワード検索や、デスクランブラ２においては、デスクランブルを許可するためのパスワードの設定などに利用することができる。
【００２４】
すなわち、ユーザーは例えばソフトウェアキーボードの中央右側に設けられた「お気に入り」のキー欄に表示された文字列の一つをカーソルで選択することによって、この文字列を、例えばソフトウェアキーボードの上部に設けられた「入力欄」に反映させることができる。そしてさらにこの「入力欄」に記載された文字列に対しては、「変換」「確定」「削除」等のキーをカーソルで選択することによって、記載された文字列の漢字変換や編集を行うことができる。
【００２５】
こうして、本発明の情報入力装置によれば、ソフトウェアキーボードから入力された文字列を登録または削除の指示を行うボタンの指示に従って記憶し、記憶された文字列を用いて情報処理を行うと共に、記憶された文字列を選択してこの選択された文字列の削除または編集を行うようにしたことによって、ソフトウェアキーボードを用いて登録データなどの入力を行う場合の操作を、極めて簡単に行うことができる。
【００２６】
さらに本発明の情報入力装置は、例えば図１の装置において制御部コンピュータ７にウェブ接続手段１１が設けられて、インターネット２０等に接続されている場合には、そのネットワーク情報やアドレス（ＵＲＬ）の入力、あるいは電子メールの文章を作成する場合などにも利用できる。また制御部コンピュータ７に、ドライバ１２及びソケット１３を介して外部メモリ３００が接続される場合には、外部メモリ３００に設けられるファイルやフォルダの名称の入力や編集などにも利用できる。
【００２７】
このようにして、従来の技術では、ソフトウェアキーボードを用いて文字列の入力を行う場合に、ユーザーが任意の文字列を作成、編集して、必要なときにそれを選択して入力や削除をすることはできなかったものを、本発明によればこれらの問題点を容易に解消することができるものである。
【００２８】
ところで上述の実施形態では、図２Ａ〜Ｄに示したようなソフトウェアキーボードについて説明したが、このソフトウェアキーボードには、例えば図３のＡに示すようなものも考えられる。ここに示すソフトウェアキーボードは、その表示の中に「お気に入り」のキー欄が存在しないものである。そこでこの場合においても、表示変更によるカーソルが遠隔操作装置２００に対するユーザーの操作に従って移動され、遠隔操作装置２００で決定の操作を行うことによって、カーソルで指示された１文字ずつの入力が行われる。
【００２９】
さらに、遠隔操作装置２００には任意のオプション釦が設けられ、ユーザーがこの釦を操作すると、ソフトウェアキーボードに図３のＢに示すような「お気に入りへ登録」と「お気に入りからの削除」のキーが表示される。そして遠隔操作装置２００に対するユーザーの操作に従ってこれらのキーがカーソルで選択されることによって、形成された文字列の「お気に入り」への登録や削除が行われる。なお「お気に入り」に登録された文字列は、例えば制御部コンピュータ７に併設のメモリ装置９に記憶される。
【００３０】
そこで、図３のＢに示す表示で、「お気に入りへ登録」が選択された場合には、図３のＣに示すように「お気に入りに登録しました」の文字が表示されて、形成された文字列が登録される。すなわちこの場合には、ソフトウェアキーボードの中には「お気に入り」のキー欄が存在しないので、単に上述のように「お気に入り」に登録されたことが表示の中で宣言されるだけで、このままでは「お気に入り」のキー欄への登録された状態は表示されないものである。
【００３１】
そこでこの場合には、例えば図３のＡに示す表示に戻した状態から、例えば遠隔操作装置２００に設けられる任意のファンクション釦を用いて表示の切り替えが行われる。すなわちこのファンクション釦の操作によって、図３のＤに示すように「お気に入り」のキー欄が表示される。これによって、「お気に入り」のキー欄への登録を確認することができる。またこの「お気に入り」のキー欄は、他の遠隔操作装置２００に設けられた「戻る」釦等の操作によって元の図３のＡの表示に戻される。
【００３２】
さらに、図３のＢに示す表示で「お気に入りからの削除」が選択された場合には、図３のＥに示すように「お気に入りから削除する項目を選択してください」の表示と共に、図３のＤと同様の「お気に入り」のキー欄が表示され、さらに「確定」「中止」のキーが表示される。そしてこの状態で、「お気に入り」のキー欄の中の削除する項目と「確定」のキーが選択されることによって、選択された項目の削除が行われる。なお「中止」のキーが選択された場合には、図３のＡの表示に戻される。
【００３３】
このようにして、図３のＡ〜Ｅの実施形態においても、ソフトウェアキーボードから入力された文字列を登録または削除の指示を行うボタンの指示に従って記憶し、記憶された文字列を用いて情報処理を行うと共に、記憶された文字列を選択してこの選択された文字列の削除または編集を行うようにしたことによって、ソフトウェアキーボードを用いて登録データなどの入力を行う場合の操作を、極めて簡単に行うことができる。
【００３４】
なお図４には、図３のＡ〜Ｅの実施形態に対応する処理のフローチャートを示す。このフローチャートにおいて、ステップＳ１ではソフトウェアキーボードの起動が判断され、起動される（Ｙｅｓ）とステップＳ２でソフトウェアキーボードが表示される。次にステップＳ３ではファンクション釦の押下が判断され、押下がないとき（Ｎｏ）はさらにステップＳ４でダイレクト文字入力か否か判断される。そして、ダイレクト文字入力でないとき（Ｎｏ）は、ステップＳ２に戻される。
【００３５】
また、ステップＳ３でファンクション釦の押下があるとき（Ｙｅｓ）は、ステップＳ５で「お気に入り」のリスト（キー欄）が表示（図３のＤ）される。そしてステップＳ６で文字列の選択が判断され、選択される（Ｙｅｓ）とステップＳ７でソフトウェアキーボードに選択された文字列が反映される。また、ステップＳ４でダイレクト文字入力が行われたとき（Ｙｅｓ）も、ステップＳ７でソフトウェアキーボードには入力された文字列が反映される。
【００３６】
さらに、ステップＳ８では再度文字入力を行うか否かが判断され、文字入力を行うとき（Ｙｅｓ）はステップＳ３に戻される。またステップＳ８で文字入力を行わないとき（Ｎｏ）はさらにステップＳ９で「確定」ボタンが押下られたか否か判断される。そして「確定」ボタンが押下られたとき（Ｙｅｓ）は、ステップＳ１０でソフトウェアキーボードの起動元のアプリケーションに文字列が渡されて処理は終了(エンド)される。
【００３７】
またステップＳ９で「確定」ボタンが押下られていないとき（Ｎｏ）は、さらにステップＳ１１で「中止」ボタンが押下られたか否か判断される。そしてここでも「中止」ボタンが押下られていないとき（Ｎｏ）は、ステップＳ７に戻される。これによって、ステップＳ７ではソフトウェアキーボードに入力された文字列が反映され、さらにステップＳ８で文字入力を行うとき（Ｙｅｓ）はステップＳ３に戻される。
【００３８】
一方、ステップＳ１１で「中止」ボタンが押下られたとき（Ｙｅｓ）は、ステップＳ１２で終了確認のダイアログが表示され、ステップＳ１３で保存せずに終了するか否か判断される。そして保存せずに終了のとき（Ｙｅｓ）は、ステップＳ１４でソフトウェアキーボードの起動元のアプリケーションに文字列を渡すことなく処理は終了される。
【００３９】
またステップＳ１３で保存せずに終了でないとき（Ｎｏ）は、ステップＳ１５で終了するか否か判断され、終了のとき（Ｙｅｓ）は終了され、終了でないとき（Ｎｏ）はステップＳ７に戻される。このようにして、図３のＡ〜Ｅの実施形態における処理を実現することができる。
【００４０】
さらに図５には、本願出願人が先に発表した遠隔操作装置２００の具体例を示す。なお、図５のＡは２つ折の装置を畳んだ状態、図５のＢは装置を開いた状態の正面図である。
【００４１】
この図５のＡにおいては、電源、チャンネルのアップダウン、音量、消音等の操作釦と共に、↑↓←→キーおよび決定釦となる操作部５１、オプションボタン５２、戻る釦５３等が設けられている。また、図５のＢにおいては、畳んだ状態では蓋側となる上部にテレビ受信機の操作部が設けられ、下部に録画装置等の操作部が設けられると共に、その下端部にファンクション釦５４が設けられる。
【００４２】
従ってこの遠隔操作装置２００において、操作部５１、オプションボタン５２、戻る釦５３、ファンクション釦５４等を用いることにより、例えば図３のＡ〜Ｅの実施形態において、ソフトウェアキーボードから入力された文字列を登録または削除の指示を行うボタンの指示に従って記憶し、記憶された文字列を用いて情報処理を行うと共に、記憶された文字列を選択してこの選択された文字列の削除または編集を行うことができる。
【００４３】
こうして本発明の情報入力装置によれば、情報入力装置は画像受信装置と遠隔操作装置とからなり、画像受信装置上の表示手段にソフトウェアキーボードを表示させる表示手段と、遠隔操作装置によりカーソルを移動してソフトウェアキーボードから文字列の入力を行う文字列入力手段と、文字列の入力に伴って入力された文字列の登録または削除の指示を行うボタンを表示するボタン表示手段と、ボタンへの遠隔操作装置によるカーソルの移動での指示に従って入力された文字列を記憶する文字列記憶手段と、記憶された文字列を用いて情報処理を行う情報処理手段と、遠隔操作装置により文字列記憶手段に記憶された文字列を選択してこの選択された文字列の削除または編集を行う文字列編集手段とを設けることにより、記憶された文字列の削除または編集を良好に行うことができるものである。
【００４４】
なお本発明は、上述の説明した実施形態に限定されるものではなく、本発明の精神を逸脱することなく種々の変形が可能とされるものである。
【図面の簡単な説明】
【００４５】
【図１】本発明による情報入力装置を適用したテレビジョン受信機（画像受信装置）の一実施形態の構成を示すブロック図である。
【図２】その説明のためのソフトウェアキーボードの図である。
【図３】その説明のためのソフトウェアキーボードの図である。
【図４】その動作の説明のためのフローチャート図である。
【図５】その説明のための遠隔操作装置の正面図である。
【符号の説明】
【００４６】
１…チューナ、２…デスクランブラ、３…加算器、４…ＮＴＳＣ方式のエンコーダ、５…陰極線管、６…受光部、７…制御部コンピュータ(ＣＰＵ)、８…管面表示（ＯＳＤ）回路、９…メモリ装置、１０…アンテナ、１１…ウェブ接続手段、１２…ドライバ、１３…ソケット、２０…インターネット、１００…テレビジョン受信機、２００…遠隔操作装置、３００…外部メモリ
【図１】
2007011974.tif 000003
【図２】
2007011974.tif 000004
【図３】
2007011974.tif 000005
【図４】
2007011974.tif 000006
【図５】
2007011974.tif 000007